(57)【要約】【課題】吸収性物品を使用準備する際に生じる音をより低減できる吸収性物品の外装体を提供する。【解決手段】吸収性物品１００を包装する外装体１０は、前記吸収性物品１００を包むシート１４ｆ，１４ｂを有した本体部１２と、前記本体部１２を封止する１以上の封止機構１６と、を有し、前記封止機構１６は、前記本体部１２を構成する前記シート１４ｆ，１４ｂに形成される切り込み線である係止スリットと、前記係止スリットに挿し込まれることで前記シート１４ｆ，１４ｂの動きを規制する一方で、前記係止スリットから抜き取られることで前記シート１４ｆ，１４ｂの動きを許容する挿し込み片と、を備える。【選択図】図１
2019063270.tif 000002
【特許請求の範囲】
【請求項１】
吸収性物品を包装する外装体であって、
前記吸収性物品を包むシートを有した本体部と、
前記本体部を封止する１以上の封止機構と、
を有し、前記封止機構は、
前記本体部を構成する前記シートに形成される切り込み線である係止スリットと、
前記係止スリットに挿し込まれることで前記シートの動きを規制する一方で、前記係止スリットから抜き取られることで前記シートの動きを許容する挿し込み片と、
を備えることを特徴とする外装体。
【請求項２】
請求項１に記載の外装体であって、
前記挿し込み片は、始端と終端が繋がらないように途中で折り返すオープンパス形状に前記シートを切り込むことにより形成される舌状片である、ことを特徴とする外装体。
【請求項３】
請求項２記載に外装体であって、
前記係止スリットは、前記舌状片の基端側に設けられており、
前記舌状片は、その先端を、その基端側に折り返して前記係止スリットに挿し込まれる、
ことを特徴とする外装体。
【請求項４】
請求項３に記載の外装体であって、
前記本体部は、内部に前記吸収性物品の収容空間を形成するべく、２以上のシートを重ね合わせており、
前記係止スリットは、重なりあった２以上のシートに貫通して形成されており、
前記舌状片は、前記重なりあった２以上のシートを切り込むことで形成され、前記係止スリットに挿し込まれることで前記重なりあった２以上のシートの分離を防止し、前記係止スリットから抜き取られることで前記重なりあった２以上のシートの分離を許容する、
ことを特徴とする外装体。
【請求項５】
請求項４に記載の外装体であって、
前記封止機構は、前記舌状片の挿し込み方向が、前記外装体を開封するために前記重なりあった２以上のシートを引き剥がす際の引き剥がし方向と逆方向になるように配置されている、
ことを特徴とする外装体。
【請求項６】
請求項２から４のいずれか１項に記載の外装体であって、
前記舌状片は、
前記係止スリットの長さよりも幅狭の基準部と、
前記基準部の幅よりも幅広部分を有する拡大部であって、前記基準部よりも先端側に位置して前記係止スリットに挿し込まれる拡大部と、
を有することを特徴とする外装体。
【請求項７】
請求項６に記載の外装体であって、
前記拡大部は、前記基準部との境界において段階的に幅広となった後、先端に近づくにつれて幅狭となる形状である、ことを特徴とする外装体。
【請求項８】
請求項１から７のいずれか１項に記載の外装体と、
前記外装体により包装された吸収性物品と、
を備えた包装済吸収性物品。
【発明の詳細な説明】
【技術分野】
【０００１】
本明細書は、体液等を吸収する吸収性物品を包装する外装体、および、吸収性物品を外装体で包装した包装済吸収性物品を開示する。
【背景技術】
【０００２】
従来から、体液を吸収する吸収性物品が広く知られている。こうした吸収性物品としては、例えば、生理用ナプキン、パンティライナー、失禁パッド、脇汗パッド等がある。こうした吸収性物品の多くは、個別包装されている。そして、使用時には、当該吸収性物品を包装している外装体を開封して、吸収性物品を外装体から取り出す必要がある。従来の外装体の多くは、当該外装体を開封する際に、外装体の一部を破壊（破断）したり、外装体を構成するシート同士の接合部を剥離したりする必要があった。
【０００３】
ここで、かかる吸収性物品は、いずれも、プライバシー性が高く、使用していることを他者に知られたくないという要望がある。しかしながら、上述した通り、従来の外装体の多くは、開封するにあたって、外装体の一部を破壊したり、接合部を剥離したりする必要があり、開封時に比較的大きな音が出やすかった。その結果、外装体の開封音により、吸収性物品の使用が他者に知られやすいという問題があった。かかる問題は、公衆トイレや職場のトイレのように、他者も使用するトイレで吸収性物品の使用準備を行う際に、特に大きな問題であった。
【０００４】
特許文献１には、シート状の包装材を二つ折りにして吸収性物品を包むとともに、この二つ折りにした包装材の間、かつ、周縁に接着剤を塗布した糸状の開封手段を配置し、この開封手段（糸状部材）で二つ折りにした包装材の周縁を封止した包装構造が開示されている。そして、特許文献１では、吸収性物品を取りだす際には、開封手段を引っ張って、当該開封手段と包装材との接着部を剥離している。この特許文献１では、包装材と開封手段（糸状部材）との接合部が、線状であり、面積が小さいため、当該開封手段を包装材から剥離する際の音、すなわち、開封音もある程度、小さくなると想定される。
【先行技術文献】
【特許文献】
【０００５】
【特許文献１】特開平９−１５４８７９号公報
【発明の概要】
【発明が解決しようとする課題】
【０００６】
しかしながら、特許文献１では、接合部の面積が小さいとはいえ、やはり、接合部の剥離という作業が必要なため、開封音を十分に小さくすることは難しかった。つまり、従来、吸収性物品を使用準備する際に生じる音を十分に小さくできる外装体は、なかった。
【０００７】
そこで、本明細書では、吸収性物品を使用準備する際に生じる音をより低減できる吸収性物品の外装体および包装済吸収性物品を開示する。
【課題を解決するための手段】
【０００８】
本明細書で開示する吸収性物品の外装体は、吸収性物品を包装する外装体であって、前記吸収性物品を包むシートを有した本体部と、前記本体部を封止する１以上の封止機構と、を有し、前記封止機構は、前記本体部を構成する前記シートに形成される切り込み線である係止スリットと、前記係止スリットに挿し込まれることで前記シートの動きを規制する一方で、前記係止スリットから抜き取られることで前記シートの動きを許容する挿し込み片と、を備えることを特徴とする。
【０００９】
かかる構成とすることで、挿し込み片を、係止スリットから抜き取れば、本体部を開封することができる。換言すれば、本体部を開封するにあたって、本体部を構成するシートや接着剤を破壊する必要がなく、開封音、すなわち、吸収性物品を使用準備する際に生じる音をより低減できる。
【００１０】
前記挿し込み片は、始端と終端が繋がらないように途中で折り返すオープンパス形状に前記シートを切り込むことにより形成される舌状片であってもよい。
【００１１】
このように挿し込み片を、シート内に形成される舌状片とすることで、封止機構を、本体部を構成するシートの端部に限らず、様々な位置に設けることができ、デザインの自由度が向上する。
【００１２】
この場合、前記係止スリットは、前記舌状片の基端側に設けられており、前記舌状片は、その先端を、その基端側に折り返して前記係止スリットに挿し込まれてもよい。
【００１３】
このように舌状片を折り返した場合、舌状片と係止スリットとの係合を解除するためには、舌状片の折り返しを解除しなければならない。こうした折り返しの解除は、偶然には生じにくいため、意に反して、係合解除されてしまう可能性が低下する。
【００１４】
この場合、前記本体部は、内部に前記吸収性物品の収容空間を形成するべく、２以上のシートを重ね合わせており、前記係止スリットは、重なりあった２以上のシートに貫通して形成されており、前記舌状片は、前記重なりあった２以上のシートを切り込むことで形成され、前記係止スリットに挿し込まれることで前記重なりあった２以上のシートの分離を防止し、前記係止スリットから抜き取られることで前記重なりあった２以上のシートの分離を許容してもよい。
【００１５】
かかる構成とすることで、舌状片を抜き取らない限り、２以上のシートの分離が効果的に防止され、意に反した本外部の開封がより確実に防止される。
【００１６】
この場合、前記封止機構は、前記舌状片の挿し込み方向が、前記外装体を開封するために前記重なりあった２以上のシートを引き剥がす際の引き剥がし方向と逆方向になるように配置されていてもよい。
【００１７】
かかる構成とすることで、２以上のシートを引き剥がせば、自動的に、封止機構が封止解除される。
【００１８】
また、前記舌状片は、前記係止スリットの長さよりも幅狭の基準部と、前記基準部の幅よりも幅広部分を有する拡大部であって、前記基準部よりも先端側に位置して前記係止スリットに挿し込まれる拡大部と、を有してもよい。
【００１９】
かかる構成とすることで、舌状片が、係止スリットから抜けにくくなるため、意に反した封止解除がより確実に防止される。
【００２０】
この場合、前記拡大部は、前記基準部との境界において段階的に幅広となった後、先端に近づくにつれて幅狭となる形状であってもよい。
【００２１】
かかる構成とすることで、舌状片を係止スリットに挿し込みやすくなる一方で、一度挿し込まれた舌状片が、係止スリットからより抜けにくくなり、意に反した封止解除がより確実に防止される。
【００２２】
また、本発明で開示する包装済吸収性物品は、上述した外装体と、この外装体により包装される吸収性物品と、を備える。
【発明の効果】
【００２３】
本発明によれば、挿し込み片を、係止スリットから抜き取れば、本体部を開封することができる。換言すれば、本体部を開封するにあたって、本体部を構成するシートや接着剤を破壊する必要がなく、開封音、すなわち、吸収性物品を使用準備する際に生じる音をより低減できる。
【図面の簡単な説明】
【００２４】
【図１】包装済吸収性物品の正面図である。
【図２】封止前の封止機構の図である。
【図３】封止後の封止機構の図である。
【図４】封止状態における、図３のＡ−Ａ線での断面図である。
【図５】開封途中における、図３のＡ−Ａ線での断面図である。
【図６】舌状片の寸法を説明する図である。
【図７】舌状片の他の形状を示す図である。
【図８】舌状片の他の形状を示す図である。
【図９】係止スリットの他の形状を示す図である。
【図１０】他の外装体の一例を示す図である。
【図１１】他の外装体の一例を示す図である。
【発明を実施するための形態】
【００２５】
以下、吸収性物品１００の外装体１０および包装済吸収性物品１１０について図面を参照して説明する。図１は、包装済吸収性物品１１０の概略正面図である。この包装済吸収性物品１１０は、吸収性物品１００を、外装体１０で包装したものである。吸収性物品１００は、体液を吸収するものであれば、特に限定されず、例えば、生理用ナプキン、パンティライナー、失禁パッド、おむつ、脇汗パッドなどが該当する。以下では、吸収性物品１００が、生理用ナプキンである場合を例に挙げて説明する。
【００２６】
図１の例では、略角丸長方形の吸収性物品１００が、二つ折りにされた状態で、外装体１０に収容され、包装されている。吸収性物品１００を使用する際、ユーザは、外装体１０を開封して、吸収性物品１００を取りだす。また、使用済みの吸収性物品１００を、新規の吸収性物品１００と交換する際には、使用済みの吸収性物品１００は、新規の吸収性物品１００を包装していた外装体１０で包んで、廃棄することができる。
【００２７】
外装体１０は、吸収性物品１００を包む本体部１２と、当該本体部１２を封止する複数の封止機構１６と、を有している。本体部１２は、シート状の部材で構成される。ここで、以下の説明では、同じシート状の部材であっても、材料、素材を意味する場合は「シート材」と呼び、本体部１２の面を構成する部位を意味する場合は「シート」と呼ぶ。したがって、図１に示す本体部１２は、一枚のシート材を、二つ折りにして構成されており、吸収性物品１００は、折り重なった二枚のシート、すなわち、前面シート１４ｆおよび背面シート１４ｂの間に挟まれていると言える。ただし、図１で示した本体部１２の構成は、一例であり、適宜、変更されてもよい。例えば、本体部１２は、２以上のシート材を組み合わせて形成されてもよい。
【００２８】
本体部１２を構成するシート材は、特に限定されないが、取り扱う際に、音が生じにくいシート材であることが望ましい。したがって、本体部１２を構成するシート材は、柔軟性が高く、コシの弱いもの、例えば、樹脂フィルム（好ましくはオレフィン系の樹脂フィルム）や、不織布シート等であることが望ましい。また、本体部１２を構成するシート材は、使用済みの吸収性物品１００を包装することもあるため、防水性を有することも望ましい。したがって、本体部１２を構成するシート材が、不織布シートである場合には、少なくとも一部に防水処理が施されていることが望ましい。
【００２９】
本体部１２の開口端は、複数（図示例では７つ）の封止機構１６により封止されている。図１の例では、本体部１２は、一枚のシート材を二つ折りにしているため、略矩形の本体部１２の４辺のうち、輪を形成する一辺を除いた３辺が開口端となる。複数の封止機構１６は、この３辺の開口端に沿って配置されている。
【００３０】
図２、図３は、一つの封止機構１６の拡大図であり、図２は、封止前の状態を、図３は、封止後の状態を示している。また、図４、図５は、図３のＡ−Ａ線における概略断面図であり、図４は、封止後の状態を、図５は、開封途中の状態を示している。さらに、図６は、係止スリット１８と舌状片２２の寸法を説明する図である。
【００３１】
各封止機構１６は、係止スリット１８と、当該係止スリット１８に挿し込まれる挿し込み片２０と、を有する。係止スリット１８は、シート１４に形成された直線状の切り込み線である。この係止スリット１８は、本体部１２のうち、二枚のシート１４ｆ，１４ｂが折り重なった部分（吸収性物品１００を避けた部分）に形成されており、係止スリット１８は、二枚のシート１４ｆ，１４ｂを貫通している。
【００３２】
挿し込み片２０は、シート１４ｆ，１４ｂを略Ｕターン状に切り込むことで形成される舌状片２２である。この舌状片２２を構成する切り込み線も、二枚のシート１４ｆ，１４ｂが折り重なった部分に形成されており、当該切り込みにより、互いに重なりあった二枚の舌状片２２が形成される。舌状片２２は、始端と終端が繋がらないように途中で折りかえすオープンパス形状の切り込み線で形成されるものであれば、その形状は、特に限定されない。ただし、係止強度を高めるためには、舌状片２２は、係止スリット１８の長さＷよりも幅狭の基準部２４と、係止スリット１８の長さＷよりも幅広部分を有するとともに基準部２４よりも先端側に位置する拡大部２６と、を有することが望ましい。また、拡大部２６は、基準部２４との境界において段階的に幅広となった後、先端に近づくにつれて幅狭となる形状であることが望ましい。図示例では、拡大部２６は、底辺が、基準部２４の幅よりも幅広で、先端に近づくにつれて幅狭となる略三角形状となっている。ただし、ここで説明した舌状片２２の形状は、一例であり、後述する通り、舌状片２２の形状は、適宜、変更されてもよい。
【００３３】
舌状片２２は、係止スリット１８に略直交する方向に延びている。また、係止スリット１８は、舌状片２２の基端側に設けられており、舌状片２２と係止スリット１８の間には、舌状片２２が渡る繋ぎ部２８が存在している。この繋ぎ部２８の長さは、当然ながら、舌状片の長さより短い。舌状片２２は、図３に示すように、その先端を、その基端側に折り返して、係止スリット１８に挿し込まれる。このとき、舌状片２２の一部は、繋ぎ部２８と重なり合うことになる。なお、以下では、舌状片２２のうち、この繋ぎ部２８を渡って、繋ぎ部２８と重なり合う部分を「渡り部３０」と呼ぶ。また、以下では、繋ぎ部２８を渡る渡り部３０が見える側（図１〜図３において、紙面手前側、図４、図５において紙面右側）を「前側」と呼び、反対側を「後側」と呼ぶ。
【００３４】
ここで、上述した通り、係止スリット１８は、二枚のシート、すなわち、前面シート１４ｆおよび背面シート１４ｂに貫通している。また、舌状片２２は、前面シート１４ｆおよび背面シート１４ｂに貫通する切り込みにより形成されており、前面シート１４ｆに繋がる舌状片２２と背面シート１４ｂに繋がる舌状片２２が互いに重なって存在する。この重なり合っている二つの舌状片２２の先端（拡大部２６）を、係止スリット１８に挿し込んで、舌状片２２と係止スリット１８が係合させると、二つのシート１４ｆ，１４ｂの動きが規制され、二つのシート１４ｆ，１４ｂの分離が阻害される。その結果、本体部１２の開口端を封止した状態が維持される。
【００３５】
一方で、この係止スリット１８と舌状片２２との係合は、当該係止スリット１８および舌状片２２により封止されている二枚のシート１４ｆ，１４ｂを、舌状片２２の挿し込み方向（図示例では、下から上方向）と逆方向（図示例では上から下方向）に引き剥がすと、容易に解除される。すなわち、重なりあった二枚のシート１４ｆ，１４ｂを引き剥がすと、前面シート１４ｆは、前方に、背面シート１４ｂは、後方に引っ張られる。このとき、二枚のシート１４ｆ，１４ｂは、図５に示すように移動する。このとき、背面シート１４ｂは、後方に移動するが、背面シート１４ｂに形成された係止スリット１８の上端縁は、係止スリット１８に挿しこまれた舌状片２２の先端部（拡大部２６）に当接し、当該先端部を、シート１４ｆ，１４ｂの面に対して略直交する方向に倒す。これにより、舌状片２２の先端部は、係止スリット１８から抜けやすい姿勢へと変化する。また、前面シート１４ｆは、前方に移動するが、このとき、前面シート１４ｆは、舌状片２２の渡り部３０を、前方、すなわち、背面シート１４ｂから離間する方向に押すことになる。すなわち、二枚のシート１４ｆ，１４を引き剥がすことで、舌状片２２の先端部が、係止スリット１８から抜けやすい姿勢に変化するとともに、舌状片２２の渡り部３０が、前方へ引っ張られる。その結果、舌状片２２の先端部が、係止スリット１８から容易に抜ける。そして、これにより、本体部１２の開口端の封止が解除される。
【００３６】
ここで、この封止解除の際、舌状片２２は、係止スリット１８から抜き取られるだけであり、シート材の破壊（破断）や接着剤の剥離（接着剤の破壊）は、生じない。そのため、本明細書で開示する外装体１０によれば、開封時に、シート材および接着剤の破壊音が生じず、開封音を小さく抑えることができる。結果として、この開封動作を、公衆トイレや職場のトイレ等で行ったとしても、吸収性物品１００を使用していることが、他者に分かりにくく、プライバシーを高く保つことができる。
【００３７】
ここで、舌状片２２の望ましい形状について図６を参照して説明する。舌状片２２と係止スリット１８の係合が意に反して解除されることを防止するためには、既述した通り、舌状片２２は、係止スリット１８の幅Ｗより幅狭の基準部２４と、基準部２４の幅Ｌ１よりも幅広部分を含む拡大部２６と、を有することが望ましい。さらに、意に反した係合解除を防止するためには、拡大部２６の最大幅Ｌ２は、望ましくは、係止スリット１８の幅Ｗの１倍〜２倍、より望ましくは、幅Ｗの１．２倍〜２倍である。さらに、拡大部２６の長さＨは、係止スリット１８の幅Ｗの０．８倍〜１．５倍程度であることが望ましい。また、基準部２４から拡大部２６との境界において、基準部２４の外形線と拡大部２６の外形線が成す内角αは、望ましくは、４５度以上、１３５度以下であり、より望ましくは、内角αは、９０度である。ただし、ここで説明した各種寸法は、いずれも、一例であり、本体部１２を構成するシート材の特性や、舌状片２２の形状等に応じて、適宜、変更されてもよい。
【００３８】
以上のような舌状片２２と係止スリット１８との係合解除は、二枚のシート１４ｆ，１４ｂを、舌状片２２の挿し込み方向と逆方向から引き剥がす際にのみ生じる。そのため、本体部１２に封止機構１６を設ける場合には、図１に示すように、舌状片２２の挿し込み方向が、本体部１２の開封方向（シート１４ｆ，１４ｂの引き剥がし方向）と逆向きになるように、各封止機構１６を設ければよい。かかる構成とすれば、重なりあったシート１４ｆ，１４ｂを引き剥がせば、自動的に、全ての封止機構１６の封止を解除でき、本体部１２を簡易に開封できる。
【００３９】
以上の説明から明らかな通り、本明細書に開示の外装体１０によれば、外装体１０の本体部１２を構成するシート材や接着剤を破壊することなく、本体部１２の封止を解除できる。その結果、外装体１０を開封する際の開封音を大幅に低減することができ、吸収性物品１００を使用していることを他者に知られにくくなる。結果として、ユーザのプライバシーを高く守ることができる。
【００４０】
また、外装体１０の本体部１２を構成するシート材が破壊されないため、開封後のシート材で、使用済みの吸収性物品１００を包むこともできる。また、本明細書で開示した外装体１０は、外装体１０の本体部１２を構成するシート材に一部加工を施すことで封止機構１６を構成している。そのため、シート材の他に、糸や剥離シートといった別部品が不要であり、開封後に生じるゴミ点数を低減できる。なお、こうした係止スリット１８および舌状片２２による封止機構１６は、従来から種々知られている針無しステープラーと同様の機構で容易に形成できる。
【００４１】
なお、上述した通り、本体部１２を構成するシート材は、特に限定されないが、意図しない開封を防止するためには、本体部１２を構成するシート材は、不織布シートのように、摩擦係数の高く、係止スリット１８と舌状片２２が強固に係合する素材からなることが望ましい。また、本体部１２を構成するシート材が、樹脂フィルムのように摩擦係数の低い素材から成る場合には、係止スリット１８近傍、または、舌状片２２に、意図しない開封を抑制するための機構を設けてもよい。かかる機構としては、例えば、摩擦係数を高めるグリップニスの塗布、表面粗さを大きくする機械的加工等が挙げられる。
【００４２】
なお、これまで説明した構成は、一例であり、少なくとも、吸収性物品１００を包装する外装体１０が、係止スリット１８と挿し込み片２０とを有する封止機構１６を１以上有するのであれば、その他の構成は、適宜変更されてもよい。例えば、これまでの説明では、舌状片２２の先端部（拡大部２６）を略三角形状としたが、図７（ａ）に示すように拡大部２６は、略円形または楕円形であり、舌状片２２は、全体として略キノコ状であってもよい。また、舌状片２２の拡大部２６は、基準部２４の幅方向両側に張り出すことが望ましいが、図７（ｂ）、（ｃ）に示すように、拡大部２６が、基準部２４の幅方向片側にのみ張り出す形状としてもよい。
【００４３】
さらに、舌状片２２は、その幅が一定、あるいは、先端部のみ幅細となる形状、換言すれば、拡大部２６を有さない形状としてもよい。したがって、舌状片２２は、図８に示すように、基端部よりも幅広の部位を有さない帯状であってもよい。
【００４４】
ここで、図８に示す形態の場合、拡大部２６を有さないため、封止機構１６全体のサイズを小さくでき、本体部１２の開口端を封止する際の閉じ代を小さくできる。その一方で、図８に示す形態の場合、舌状片２２が拡大部２６を有さないため、舌状片２２が、意に反して、係止スリット１８から抜けるおそれがある。かかる意に反した舌状片２２の抜けを防止するために、舌状片２２の幅Ｌ３は、望ましくは、係止スリット１８の長さＷの０７倍〜１．５倍、より望ましくは、１．０倍〜１．５倍とする。また、図８に示すような拡大部２６を有さない舌状片２２を用いる場合には、本体部１２を構成するシート材を、摩擦の大きいシート材、例えば、不織布シート材等とすることが望ましい。これにより、意に反した舌状片２２の抜けを効果的に防止できる。
【００４５】
また、これまでの説明では、係止スリット１８を、一直線状としているが、係止スリット１８は、舌状片２２の挿し込み方向に対して略直交する方向に長尺であれば、他の形状でもよい。例えば、係止スリット１８は、図９（ａ）に示すように、略円弧状でもよい。また、係止スリット１８は、複数の切り込み線で構成されてもよく、図９（ｂ）に示すように、挿し込み方向に延びる一対の小切り込み線１８ａと、この小切り込み線１８ａの間に延びる大切り込み線１８ｂと、を有した略Ｈ字状でもよい。また、図９（ｃ）に示すように、係止スリット１８は、一つの小切り込み線１８ａと、一つの大切り込み線１８ｂと、を有した略Ｔ字状でもよい。
【００４６】
また、これまでの説明では、全ての封止機構１６を、その舌状片２２の挿し込み方向が、シート１４ｆ，１４ｂの引き剥がし方向と逆方向になる姿勢で配置している。しかし、複数の封止機構１６のうち、一部の封止機構１６については、舌状片２２の挿し込み方向とシート１４ｆ，１４ｂの引き剥がし方向とが同じになるように配置してもよい。例えば、図１０に示すように、７つある封止機構１６のうち、幅方向中央かつ、最も、上端寄りに位置する封止機構１６（以下「特定封止機構１６ａ」と呼ぶ）だけは、舌状片２２の挿し込み方向がシート１４ｆ，１４ｂの引き剥がし方向と同じになるように配置してもよい。この場合において外装体１０を開封する際、ユーザは、まず、特定封止機構１６ａの舌状片２２を手で摘んで、係止スリット１８から抜き取る。その後、ユーザは、二枚のシート１４ｆ，１４ｂを上から下に向かって引き剥がすことで、残りの封止機構１６の封止を解除する。このように、一部の封止機構１６（特定封止機構１６ａ）だけ、その配置の向きを変えることで、当該特定封止機構１６ａについては、ユーザが舌状片２２を摘んで抜き取るという作業を意識的に行わなければ、他の封止機構１６を開封できない。その結果、ユーザの意に反して、外装体１０が開封されることがなくなる。なお、この場合、特定封止機構１６ａは、指で摘みやすくするために、他の封止機構１６よりも大きくしてもよい。
【００４７】
また、一つの外装体１０に設けられる封止機構１６の個数は、特に限定されず、一つでもよいし、より多数でもよい。また、これまでの説明では、挿し込み片２０（舌状片２２）を折り返して係止スリット１８に挿し込んでいるが、必ずしも折り返す必要はない。また、本体部１２の構成も、吸収性物品１００を包めるのであれば、他の構成でもよい。例えば、図１１に示すように、本体部１２を、長方形の帯状シート３６が、９０度間隔で並ぶ略十文字状のシート材で構成してもよい。この場合、１８０度ずれて位置する二つの帯状シート３６のうち一方に、係止スリット１８を、他方に挿し込み片２０を形成しておく。ここで、挿し込み片２０は、符号２０ａで示すように、帯状シート３６に形成した切り込みで形成される舌状片でもよいし、符号２０ｂで示すように、帯状シート３６の端部から延出する延出部でもよい。
【００４８】
そして、吸収性物品１００を包装する際には、内部に吸収性物品１００を配置した状態で、係止スリット１８ａに挿し込み片２０ａが、係止スリット１８ｂに挿し込み片２０ｂが挿し込めるように、各帯状シート３６を折り曲げればよい。
【００４９】
いずれにしても、外装体１０の本体部１２を封止する封止機構１６を、シート１４に形成された係止スリット１８と、当該係止スリット１８に挿しこまれる挿し込み片２０で構成することで、外装体１０の開封音、すなわち、吸収性物品１００の使用準備の音を低減でき、プライバシー性を高く保つことができる。
【符号の説明】
【００５０】
１０  外装体、１２  本体部、１４  シート、１６  封止機構、１８  係止スリット、２０  挿し込み片、２２  舌状片、２４  基準部、２６  拡大部、２８  繋ぎ部、３０  渡り部、３６  帯状シート、１００  吸収性物品、１１０  包装済吸収性物品。
【図１】
2019063270.tif 000003
【図２】
2019063270.tif 000004
【図３】
2019063270.tif 000005
【図４】
2019063270.tif 000006
【図５】
2019063270.tif 000007
【図６】
2019063270.tif 000008
【図７】
2019063270.tif 000009
【図８】
2019063270.tif 000010
【図９】
2019063270.tif 000011
【図１０】
2019063270.tif 000012
【図１１】
2019063270.tif 000013